【手続補正書】
【提出日】平成28年5月16日(2016.5.16)
【手続補正１】
【補正対象書類名】特許請求の範囲
【補正対象項目名】全文
【補正方法】変更
【補正の内容】
【特許請求の範囲】
【請求項１】
家事動線の短縮化を図るための回遊動線を考慮した集合住宅であって、
仕切壁に設けられた開口部で構成される２つ以上の出入口を有し、かつ、該出入口を介して通り抜けができ、人が中に入って衣服を含む収納物の出し入れができる程度の広さを有し、前記開口部が設けられた前記仕切壁と他の仕切壁とによって他の領域と仕切られるウォークスルークローゼットと、
２つ以上の出入口を有し、該出入口の少なくとも１つは、前記ウォークスルークローゼットの出入口と共通である洗面室と、
前記洗面室と隣接した浴室と、
キッチンを有する部屋とを備え、
前記洗面室の出入口を通過し、かつ、行き止まりのない動線のうち迂回しない回遊動線は、前記ウォークスルークローゼット内を通過し、
前記回遊動線は、前記洗面室から直接前記ウォークスルークローゼットを通過し、前記ウォークスルークローゼットから前記部屋におけるキッチンを通過して、前記洗面室に戻り、
前記回遊動線が通過する居室は、前記洗面室及び前記キッチンを有する部屋のみである、集合住宅。
【請求項２】
家事動線の短縮化を図るための回遊動線を考慮した集合住宅であって、
仕切壁に設けられた開口部で構成される２つ以上の出入口を有し、かつ、該出入口を介して通り抜けができ、人が中に入って衣服を含む収納物の出し入れができる程度の広さを有し、前記開口部が設けられた前記仕切壁と他の仕切壁とによって他の領域と仕切られるウォークスルークローゼットと、
２つ以上の出入口を有し、該出入口の少なくとも１つは、前記ウォークスルークローゼットの出入口と共通である洗面室と、
前記洗面室と隣接した浴室とを備え、
前記洗面室の出入口を通過し、かつ、行き止まりのない動線のうち迂回しない回遊動線は、前記ウォークスルークローゼット内を通過し、
前記回遊動線が通過する部屋は４つであり、前記回遊動線に沿って隣り合う該部屋が直接接して配置されている、集合住宅。
【請求項３】
家事動線の短縮化を図るための回遊動線を考慮した集合住宅であって、
洗面室と、前記洗面室と隣接した浴室とを有するユニットと、
仕切壁に設けられた開口部で構成される２つ以上の出入口を有し、かつ、該出入口を介して通り抜けができ、人が中に入って衣服を含む収納物の出し入れができる程度の広さを有し、前記開口部が設けられた前記仕切壁と他の仕切壁とによって他の領域と仕切られるウォークスルークローゼットとを備え、
前記ユニットを取り囲み、かつ、行き止まりのない動線のうち迂回しない回遊動線は、前記ウォークスルークローゼット内を通過する、集合住宅。
【手続補正２】
【補正対象書類名】明細書
【補正対象項目名】発明の名称
【補正方法】変更
【補正の内容】
【発明の名称】集合住宅
【手続補正３】
【補正対象書類名】明細書
【補正対象項目名】０００７
【補正方法】変更
【補正の内容】
【０００７】
本発明の一の局面における集合住宅は、家事動線の短縮化を図るための回遊動線を考慮した集合住宅であって、仕切壁に設けられた開口部で構成される２つ以上の出入口を有し、かつ、この出入口を介して通り抜けができ、人が中に入って衣服を含む収納物の出し入れができる程度の広さを有し、開口部が設けられた仕切壁と他の仕切壁とによって他の領域と仕切られるウォークスルークローゼットと、２つ以上の出入口を有し、この出入口の少なくとも１つは、ウォークスルークローゼットの出入口と共通である洗面室と、洗面室と隣接した浴室と、キッチンを有する部屋とを備え、洗面室の出入口を通過し、かつ、行き止まりのない動線のうち迂回しない回遊動線は、ウォークスルークローゼット内を通過し、回遊動線は、洗面室から直接ウォークスルークローゼットを通過し、ウォークスルークローゼットから上記部屋におけるキッチンを通過して、洗面室に戻り、回遊動線が通過する居室は、洗面室及びキッチンを有する部屋のみである。なお、「居室」とは、建築基準法２条４号に規定される。
また、本発明の他の局面における集合住宅は、家事動線の短縮化を図るための回遊動線を考慮した集合住宅であって、仕切壁に設けられた開口部で構成される２つ以上の出入口を有し、かつ、この出入口を介して通り抜けができ、人が中に入って衣服を含む収納物の出し入れができる程度の広さを有し、開口部が設けられた仕切壁と他の仕切壁とによって他の領域と仕切られるウォークスルークローゼットと、２つ以上の出入口を有し、この出入口の少なくとも１つは、ウォークスルークローゼットの出入口と共通である洗面室と、洗面室と隣接した浴室とを備え、洗面室の出入口を通過し、かつ、行き止まりのない動線のうち迂回しない回遊動線は、ウォークスルークローゼット内を通過し、回遊動線が通過する部屋は４つであり、回遊動線に沿って隣り合う部屋が直接接して配置されている。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
本発明の一の局面及び他の局面における集合住宅において好ましくは、回遊動線は、洗面室と浴室との間を通過する。
【手続補正６】
【補正対象書類名】明細書
【補正対象項目名】００１０
【補正方法】変更
【補正の内容】
【００１０】
本発明のさらに他の局面における集合住宅は、家事動線の短縮化を図るための回遊動線を考慮した集合住宅であって、洗面室と、この洗面室と隣接した浴室とを有するユニットと、仕切壁に設けられた開口部で構成される２つ以上の出入口を有し、かつ、この出入口を介して通り抜けができ、人が中に入って衣服を含む収納物の出し入れができる程度の広さを有し、開口部が設けられた仕切壁と他の仕切壁とによって他の領域と仕切られるウォークスルークローゼットとを備え、ユニットを取り囲み、かつ、行き止まりのない動線のうち迂回しない回遊動線は、ウォークスルークローゼット内を通過する。
【手続補正７】
【補正対象書類名】明細書
【補正対象項目名】００１１
【補正方法】変更
【補正の内容】
【００１１】
本発明のさらに他の局面における集合住宅において好ましくは、回遊動線に沿って設けられた複数の部屋をさらに備え、複数の部屋のそれぞれは、２つ以上の出入口を有している。
【手続補正８】
【補正対象書類名】明細書
【補正対象項目名】００１２
【補正方法】変更
【補正の内容】
【００１２】
本発明のさらに他の局面における集合住宅において好ましくは、回遊動線に沿って設けられたキッチンをさらに備えている。
【手続補正９】
【補正対象書類名】明細書
【補正対象項目名】００１３
【補正方法】変更
【補正の内容】
【００１３】
本発明のさらに他の局面における住宅において好ましくは、洗面室の出入口の少なくとも１つは、ウォークスルークローゼットの出入口と共通である。
【手続補正１０】
【補正対象書類名】明細書
【補正対象項目名】００１４
【補正方法】変更
【補正の内容】
【００１４】
本発明の一、他及びさらに他の局面における集合住宅において好ましくは、ウォークスルークローゼットは、３つ以上の出入口を有し、ウォークスルークローゼットにおいて、洗面室の出入口と共通する出入口は、他の出入口の間に配置されている。
【手続補正１１】
【補正対象書類名】明細書
【補正対象項目名】００１５
【補正方法】変更
【補正の内容】
【００１５】
本発明のさらに他の局面における集合住宅において好ましくは、ウォークスルークローゼットに隣接され、かつ出入口を有する部屋をさらに備え、部屋の出入口は、ウォークスルークローゼットの出入口の少なくとも１つと共通である。
【手続補正１２】
【補正対象書類名】明細書
【補正対象項目名】００１６
【補正方法】変更
【補正の内容】
【００１６】
本発明のさらに他の局面における集合住宅において好ましくは、洗面室を介して部屋と対向する位置に設けられたリビングをさらに備えている。